(57)【特許請求の範囲】
【請求項１】
指向性エネルギビームのバーチャルフェンスであって、
前記指向性エネルギビームのバーチャルフェンスは、
ミリメートル波エネルギの高電力ソースと、
前記高電力ソースからの前記ミリメートル波エネルギをエネルギビームの形態にするビーム指向装置と、
ここで、前記エネルギビームは、侵入者が前記バーチャルフェンスを越えるのを阻止するために一時的な痛みを生じさせるのに十分なビーム電力密度を有する、
前記バーチャルフェンスの長さに沿って複数の間隔を置いて配置されている一連の中継装置と、
を具備し、
前記一連の中継装置のうちの各中継装置は、光倍率を有する少なくとも１つの反射装置を具備し、
各中継装置は、
前の装置から前記エネルギビームを受信し、
前記エネルギビームを再コリメートし、
前記再コリメートされたエネルギビームを、後続の装置に向ける、
ように構成されている、指向性エネルギビームのバーチャルフェンス。
【請求項２】
前記エネルギビームは、約９４ＧＨｚの周波数を有し、
前記エネルギビームは、単位平方センチメートル当り０．７ワットよりも大きい平均電力密度を有している請求項１記載の指向性エネルギビームのバーチャルフェンス。
【請求項３】
前記一連の中継装置のうちの最後の中継装置から前記エネルギビームを受信するためのビーム終端装置をさらに具備している請求項１記載の指向性エネルギビームのバーチャルフェンス。
【請求項４】
前記ビーム終端装置は、前記エネルギビームが中断されたか否かを決定するための１以上のセンサを含んでいる請求項３記載の指向性エネルギビームのバーチャルフェンス。
【請求項５】
前記エネルギビームは、前記バーチャルフェンスの長さの少なくとも一部に沿って物理的バリアに近接している請求項１記載の指向性エネルギビームのバーチャルフェンス。
【請求項６】
前記物理的バリアは、傾斜した平面と、舗装された表面と、水面と、構造物と、その組合せとである地形表面から選択される請求項５記載の指向性エネルギビームのバーチャルフェンス。
【請求項７】
前記エネルギビームの経路は、予め定められた境界に近接している請求項１記載の指向性エネルギビームのバーチャルフェンス。
【請求項８】
前記エネルギビームは、保護された設備を本質的に囲んでいる請求項１記載の指向性エネルギビームのバーチャルフェンス。
【請求項９】
光倍率を有する前記反射装置は、球面反射装置と、放物面反射装置と、非球面反射装置と、受動反射装置アレイとから選択される請求項１記載の指向性エネルギビームのバーチャルフェンス。
【請求項１０】
各中継装置は、２以上の反射装置を具備している請求項１記載の指向性エネルギビームのバーチャルフェンス。
【請求項１１】
各中継装置は、前記一連の中継装置のうちの前記前の装置の出口開口の画像を、前記一連の中継装置のうちの前記後続の装置の入口開口へ本質的に投影する請求項１記載の指向性エネルギビームのバーチャルフェンス。
【請求項１２】
ソース装置から始まり、複数の中継装置に続く、一連の装置を具備している、指向性エネルギビームのバーチャルフェンスであって、
前記ソース装置は、
ミリメートル波エネルギの高電力ソースと、
前記高電力ソースからの前記ミリメートル波エネルギを、第１の中継装置に向かうエネルギビームの形態にする、ビーム指向装置と、
を具備し、
ここで、前記エネルギビームは、侵入者が前記バーチャルフェンスを越えるのを阻止するために一時的な痛みを生じさせるのに十分なビーム電力密度を有し、
各中継装置は、光倍率を有する少なくとも１つの反射装置を具備し、
各中継装置は、
前記一連の装置のうちの前の装置から前記エネルギビームを受信し、
前記エネルギビームを再コリメートし、
前記再コリメートされたエネルギビームを、前記一連の装置のうちの後続の中継装置に方向を変える、
ように構成されている、指向性エネルギビームのバーチャルフェンス。
【請求項１３】
複数の侵入者が境界を超えることを阻止する方法であって、
前記方法は、
前記境界の一方の端部において、高電力ミリメートル波エネルギビームを発生することと、
ここで、前記高電力ミリメートル波エネルギビームは、一連の線形セグメントに沿って伝播し、前記一連の線形セグメントは、前記境界に近接している、
連続的な複数の線形セグメントの複数の交差点に近接して配置されている複数の中継装置において前記高電力ミリメートル波エネルギビームを中継することと、
ここで、各中継装置は、光倍率を有する少なくとも１つの反射装置を具備している、
を含み、
各中継装置において前記高電力ミリメートル波エネルギビームを中継することは、
前の装置から前記高電力ミリメートル波エネルギビームを受信することと、
前記高電力ミリメートル波エネルギビームを再コリメートすることと、
前記再コリメートされた高電力ミリメートル波エネルギビームを、後続の装置に向けることと、
を含み、
前記高電力ミリメートル波エネルギビームは、侵入者が前記境界を超えるのを阻止するために身体的な痛みを生じさせるのに十分なビーム電力密度を有する、方法。
【請求項１４】
前記複数の線形セグメントの少なくとも一部に沿って前記高電力ミリメートル波エネルギビームに近接する物理的バリアを設けることをさらに含んでいる請求項１３記載の方法。
【請求項１５】
前記高電力ミリメートル波エネルギビームに近接する前記物理的バリアは、傾斜した平面と、舗装された表面と、水面と、構造物と、その組合せとである地形表面から選択される請求項１４記載の方法。
【請求項１６】
前記高電力ミリメートル波エネルギビームは、保護された設備を本質的に囲んでいる請求項１３記載の方法。
【発明の詳細な説明】
【技術分野】
【０００１】
本発明は、指向性エネルギ兵器に関し、および特に高電力のミリメートル波の指向性エネルギビームを使用する指向性エネルギ兵器に関する。
【背景技術】
【０００２】
本発明の明細書の開示の一部は著作権保護を受けている材料を含んでいる。本発明の明細書は所有者のトレードドレスであるかそのようになる可能性がある事項を示しおよび／または記載している。著作権とトレードドレスの所有者は、特許商標庁の特許包袋又は記録に現れているこの特許明細書のいかなる者であれば彼らによる複製に対しては異存はないが、そのような者でなければ全ての著作権およびトレードドレスの権利を保持する。
【０００３】
ミリメートル波の指向性エネルギビームは侵入者を撃退または阻止するための既知の方法である。約９４ＧＨｚの周波数を有するＷ帯域のミリメートル波ビームは１インチの１／６４の深さまで侵入者の皮膚を貫通できる。ミリメートル波エネルギは神経末梢部を含む皮膚の外部を加熱でき、したがって侵入者に対して何等の永続的な損傷も与えることなく一時的な激痛を生じさせる。
【発明の概要】
【０００４】
持ち運び可能な及び移動可能なミリメートル波の指向性エネルギの非致死兵器は暴動の抑制その他の応用で使用するために提案されている。静止ミリメートル波の指向性エネルギの非致死兵器は不所望な人が保護区域に入ることを阻止するために提案されている。
【図面の簡単な説明】
【０００５】
【図１】指向性エネルギビームのバーチャルフェンスの光学的概略図である。
【図２】指向性エネルギビームのバーチャルフェンスのブロック図である。
【図３】指向性エネルギビームのバーチャルフェンスの例示的な設置の斜視図である。
【図４】例示的な指向性エネルギビームのバーチャルフェンスの概略側面図である。
【図５】例示的な指向性エネルギビームのバーチャルフェンスの概略側面図である。
【図６】例示的な指向性エネルギビームのバーチャルフェンスの概略平面図である。
【図７】侵入者が境界を横断することを阻止する方法のフローチャートである。
【発明を実施するための形態】
【０００６】
この明細書を通して、図面に示されている素子には３桁の参照符合が割当てられ、上位桁は図面番号であり、２つの下位桁は素子に特有な数字である。図面と関連して説明されていない素子は同じ下位桁を有する参照符合の前述の素子と同じ特徴および機能を有すると仮定されることができる。
【０００７】
［装置の説明］  
図１を参照すると、指向性エネルギビームのバーチャルフェンス100の簡潔化された光学的概略図は、ソースユニット110、第１の中継装置120A、第２の中継装置120Bを含むことができる。ソースユニット110はエネルギビーム115Aを提供できる。エネルギビームの周波数は約９４ＧＨｚであってもよく、そのビームは９４ＧＨｚを中心とする大気放射ウィンドウに対して比較的低損失であり、大気を通して送信されることができる。ビームの周波数は９４±１ＧＨｚであることができる。ソースユニットにおけるエネルギビーム115Aの断面範囲はソースユニットの出口開口112により規定されることができる。
【０００８】
第１の中継装置120Aと第２の中継装置120Bはレンズとして概略的に示されているが、高電力エネルギビームの中継装置はレンズではなく反射素子から構成されることができる。
【０００９】
第１の中継装置120Aはソース装置110からエネルギビーム115Aを受信できる。第１の中継装置120Aは受信されたエネルギビーム115Aを再コリメートし、再コリメートされたエネルギビーム115Bを第２の中継装置120Bの方向へ指向することができる。この文脈では、用語「再コリメート」は第２の中継装置120Bへ実際に転送されるエネルギ量を増加するためにビームダイバージェンスを減少するようにエネルギビーム115Aの波頭を再成形する意味が意図されている。同様に、第２の中継装置120Bは第１の中継装置からエネルギビーム15Bを受信できる。第２の中継装置は再度エネルギビームを再コリメートし、再コリメートされたビーム115Cをビーム終端装置130へ指向する。ビーム終端装置130はエネルギビーム115Cを受信し吸収できる。ビーム終端装置130はエネルギビーム115Cの電力レベルを測定し、したがってエネルギビームがビーム路に沿った任意の点で中断されているか部分的に中断されているかを決定するための１以上の検出器132を含むことができる。
【００１０】
エネルギを節約するために、電力ソースユニット110は検出器132を使用してエネルギビームが少なくとも部分的に中断されているか否かの決定が行われるまで低い電力のエネルギビーム115Aを発生できる。エネルギビームが中断されるか部分的に中断されるかを決定したとき、電力ソースユニット110はフル電力のエネルギビーム115Aを発生できる。電力ソースユニット110は予め定められた時間間隔で、またはビーム路がもはや中断されなくなるまでフル電力のエネルギビーム115Aを発生できる。
【００１１】
エネルギビーム115Aと再コリメートされたエネルギビーム115B、115Cは完全にはコリメートされないで、僅かに発散又は収束されることができる。例えば第１の中継装置120Aは電力ソース装置110の出口開口112の画像を第２の中継装置120Bの入口開口に投影できる。同様に、第２の中継装置120Bは第１の中継装置120Aの出口開口の画像を終端装置130に投影できる。図１の概略光学図では、中継装置120A、120Bの入口及び出口開口は本質的に示されたレンズのクリアな開口である。
【００１２】
図１及び全てのそれに続く図面では、装置と光学素子の寸法は装置間のビーム路の長さに関して非常に誇張されている。例えばエネルギビーム及び関連される光学素子の直径は数メートルであってもよく、隣接装置間の距離は数百メートルから数キロメートルであってもよい。
【００１３】
図２を参照すると、例示的な指向性エネルギビームのバーチャルフェンス200はソースユニット210、第１の中継装置220A、第２の中継装置220Bを含むことができる。ソースユニット210は高電力のミリメートル波のエネルギソース212と、ソース212からエネルギを受信しエネルギビーム215Aを形成するためのビーム指向装置218を含むことができる。この例では、ビーム指向装置218は二次反射装置214と一次反射装置216を含んでいる。ビーム指向装置218は２つよりも多くの又は少ない反射装置を含むことができ、レンズ、プリズム、偏光子等のような他の素子を含むことができる。図２の例では、二次反射装置214は平面反射装置として示され、一次反射装置216は光倍率を有する凹曲面反射装置として示されている。任意の又は全ての一次反射装置216、二次反射装置214、及び存在するならば他の反射装置は光倍率を有することができる。光倍率を有する各反射装置は球面、放物線状、楕円、非楕円または幾つかの他の形状であってもよい。光倍率を有する任意又は全ての反射装置は例えば米国特許第4,905,014号明細書に記載されている反射アレイのような受動反射アレイであってもよい。
【００１４】
各中継装置220A、220Bは平面反射装置222A、222Bと、曲面反射装置224A、224Bを含むことができる。各中継装置は２よりも多く又は少ない数の反射装置を含むことができ、その少なくとも１つは光倍率を有することができる。光倍率を有する各反射装置は球面、放物線状、楕円、非楕円または幾つかの他の形状であってもよい。光倍率を有する各反射装置は受動反射アレイであってもよい。中継装置220A、220Bは示されているように同じ光学的構造を有するか又は異なってもよい。各中継装置は各中継装置と隣接する装置との間の距離により示されているように異なる光学的設計を有することができる。
【００１５】
第１の中継装置220Aは電力ソースユニット210の出口開口の画像を第２の中継装置220Bの入口開口に投影することができる。第２の中継装置220Bは第１の中継装置220Aの出口開口の画像をその後の中継装置（図示せず）の入口開口に投影することができる。図２の例では、中継装置220Aの入口及び出口開口は２つのミラー222Aと224Aの小さい方の範囲にほぼ等しい。
【００１６】
図３を参照すると、ソースユニット310と一連の中継装置320A、320B、320Cは侵入者が境界390を横断することを阻止するためのバーチャルフェンスを形成するために配置されることができる。ソースユニット310は境界390の第１の端部392近くに配置されることができ、終端装置330は境界390の第２の端部394近くに配置されることができる。中継装置320A、320B、320Cは392から394までの境界の長さに沿って間隔を有して配置されることができる。エネルギビームはソースユニット310から中継装置320A、320B、320Cへ順に伝播し、終端装置330へ伝播することができる。エネルギビームは順に隣接する装置間で直線路に沿って伝播できる。一連の線形ビームセグメント315A、315B、315C、315Dは境界390への段階的な線形近似を形成する。地形の高さの変化のために、境界390は３次元形状であることができ、一連の線形ビームセグメント315A、315B、315C、315Dは３次元で境界390に対する段階的な線形近似を形成できる。
【００１７】
ソースユニット310により与えられるエネルギビーム315Aと、再コリメートされたエネルギビーム315B、315C、315Dは単一の連続的な、本質的に中断のないエネルギビームのセグメントとして考えられることができる。バーチャルフェンスとして有効であるエネルギビームセグメント315A、315B、315C、315Dでは、電力密度及びビーム幅はバーチャルフェンスの長さ全体に沿って侵入者がビームを横断することを阻止するのに十分である必要がある。ビーム電力密度とビーム幅の組合せは侵入者がビーム幅の半分を横断する前に我慢できない傷みを経験するようにされることができ、したがって侵入者をビームの横断に成功せずに退却させる。
【００１８】
痛みを生じさせるのに必要な電力密度は主にエネルギビームの波長と露出期間に依存し、広く研究されている。研究者は痛みを起こすための平均しきい値がそれぞれ１、３、１０秒の期間で９４ＧＨｚのビームに対する露出では単位平方センチメートル当り３．２、１．５、０．７ワットであることを報告している（WALTERS, T. J.等、“Heating and Pain Sensation produced in Human Skin by Millimeter Waves: Comparison to a Simple Thermal Model”、Health Physics、78巻、No.3、259−67頁、2000年３月）。バーチャルフェンスとして効率的であるエネルギビームセグメント315A、315B、315C、315Dでは、電力密度は痛みを生じる平均しきい値に等しいかまたは高くてもよい。
【００１９】
バーチャルフェンスとして有効であるエネルギビーム315A、315B、315C、315Dでは、エネルギビームの高さは侵入者が単にビームを飛び超えるか、棒高跳びすることを防止するのに十分である必要がある。エネルギビームの幅は侵入者がビームを通り抜けることを防止するのに十分でなければならない。付加的に、バーチャルフェンスは侵入者が腹ばいになり、堀下げ、または他の方法でエネルギビームの下を抜け出すことを防止するための設備を必要とする可能性がある。
【００２０】
図４を参照すると、バーチャルフェンスの一部を構成するエネルギビーム415Aと415Bは地形表面440と442のような物理的バリアに近接してもよい。この文脈では、「近接」は「直接隣接する」の通常の意味で使用されており、エネルギビーム415Aと415Bが地形表面440と442のような物理的バリアに部分的に衝突するかオーバーラップできる状態を含むことが意図されている。
【００２１】
エネルギビーム415Aと415Bは基本的に線形路に沿って伝播するので、地形表面440、442はエネルギビームがビーム路全体に沿って地形表面に近接することを確実にするために表面を形成するように傾斜される。さらに、侵入者がトンネルまたは溝をバーチャルフェンスの下に掘ることを阻止するため、傾斜された地形表面440と442は舗装或いは他の方法で補強されることができる。状況によっては、バーチャルフェンスの一部を形成するエネルギビームは地形表面よりも水面に近接することができる。
【００２２】
図５を参照すると、バーチャルフェンスの一部を構成するエネルギビーム515Aと515Bは示されているブロック壁544と546のような１以上の構造に近接することができる。この文脈では、「構造」は「構成されたもの」の通常の意味で使用され、フェンス、壁、溝、建物の一部、任意の他の人工的構造を含むことが意図されている。構造の目的は潜在的な侵入者を遅延し、したがってエネルギビーム515Aまたは515Bへの露出期間を延長することである。このような構造は図５に示されているように地上であってもよく、または部分的または完全に地下であってもよい。
【００２３】
図５は無許可のアクセスおよび不正を阻止するために保護エンクロージャ548中に収められているソースユニット510も示している。任意又は全てのソースユニット、中継装置、終端装置も同様に収容されることができる。例えば金網フェンスは無許可のアクセスを防止し、依然としてビーム波頭または電力密度の劣化がほとんどなくエネルギビームの入出を可能にする。
【００２４】
図６を参照すると、ソースユニット610、一連の中継装置620A、620B、620Cと、終端装置630は保護設備605を本質的に囲むバーチャルフェンスを形成するように配置されることができる。この文脈では、用語「本質的に囲む」は私道635のような１以上の予め定められたアクセス点を除いて保護された設備周辺の周囲を形成する意味を意図している。このような予め定められたアクセス点はゲートおよび／またはガードのような他の手段により保護されることができる。保護された設備605は建物、空港、軍事施設、発電所または侵入者からの保護を必要とする他の設備であってもよい。保護設備605を本質的に収納するのに必要な中継装置の数は示されている３つの中継装置620A、620B、620Cよりも多くても少なくてもよい。
【００２５】
プロセスの説明  
図７を参照すると、侵入者が境界を横断することを阻止する方法は750で開始し、770で終了する。755で、境界は連続的な一連の線形セグメントにより近接されることができる。760で、エネルギビームは連続的な線形セグメントに並列に伝播するように発生され指向されることができる。
【００２６】
連続的な線形セグメントに平行なエネルギビームの発生及び指向は、境界762の終点近くに配置されるソースユニットを使用してエネルギビームを発生することを含むことができる。エネルギビームの発生及び指向はさらに連続的な線形セグメント764の交差点近くに配置される複数の中継装置を使用してエネルギビームを再コリメートし、再指向させることを含むことができる。エネルギビームの発生及び指向は線形セグメント766の少なくとも一部に沿ってエネルギビームに対して連続的な物理的バリアを与えることも含むことができる。
【００２７】
結言
この明細書を通して、示されている実施形態及び例は説明されまたは請求されている装置および手順における限定ではなく例示として考慮されるべきである。ここで提示されている多くの例は方法の行為またはシステム素子の特別な組合せを含んでいるが、これらの行為およびこれらの素子は同じ目的を実現するために他の方法で組合せられることができる。フローチャートに関して、付加的およびより少数のステップが行われることができ、示されているステップはここで説明された方法を実現するために組み合わせられるかさらに改良されることができる。また、１実施形態だけで説明された素子および特徴は他の実施形態の類似の役目から除外されることを意図してはいない。
【００２８】
特許請求の範囲に記載されている手段および機能の限定では、手段は述べられた機能を行うためにここで説明去れた手段に限定されることを意図せず、述べられた機能を行うために現在知られているか後に開発される任意の手段を範囲内に含むことが意図される。
【００２９】
ここで使用されているように「複数」は２以上を意味している。
【００３０】
ここで使用されているように品目の「セット」はこのような品目の１以上を含むことができる。
【００３１】
ここで使用されているように、明細書又は請求項中で、用語「具備している」、「含んでいる」、「搭載している」、「有する」、「含んでいる」、「含む」等はオープンエンドであり、即ち含んでいるがそれに限定されないことを意味するものと理解する。移行句「からなる」と「本質的に〜からなる」はそれぞれ請求項に関してクローズドまたは半分クローズドの移行句である。
【００３２】
請求項記載のエレメントを変更するための請求項中の「第１」、「第２」、「第３」等の序数用語の使用はそれ自体、別のエレメントよりも上位である１つの請求項のエレメントの任意の優先度、優位性、順序又は方法の行為が行われる一次的な順序を示すものではなく、請求項のエレメントを弁別するためにある名称を有する１つの請求項のエレメントを同じ名称（序数用語の使用を除く）を有する別のエレメントから弁別するための単なるラベルとして使用されている。
【００３３】
ここで使用されているように、「および／または」はリストされたアイテムが代替であることを意味しているが、代替もリストされたアイテムの任意の組合せを含むことができる。  
以下に、本願出願時の特許請求の範囲に記載された発明を付記する。
［１］エネルギビームを提供するためのソースユニットと、
バーチャルフェンスの長さに沿って間隔を置いて配置されている一連の中継装置とを具備し、
前記一連の中継装置のそれぞれは、
前の装置から前記エネルギビームを受信し、
前記エネルギビームを再コリメートし、
前記再コリメートされたエネルギビームをその後続の中継装置の方向へ指向する指向性エネルギビームのバーチャルフェンス。
［２］前記エネルギビームは侵入者が前記バーチャルフェンスを横断することを阻止するのに十分なビーム電力密度を有している前記［１］記載の指向性エネルギビームのバーチャルフェンス。
［３］前記ビームは約９４ＧＨｚの周波数を有し、
前記ビームは単位平方センチメートル当り０．７ワットよりも大きい平均電力密度を有している前記［２］記載の指向性エネルギビームのバーチャルフェンス。
［４］さらに、前記一連の中継装置の最後の中継装置からエネルギビームを受信するためのビーム終端装置を具備している前記［１］記載の指向性エネルギビームのバーチャルフェンス。
［５］前記終端装置はエネルギビームが中断されたか否かを決定するための１以上のセンサを含んでいる前記［４］記載の指向性エネルギビームのバーチャルフェンス。
［６］前記エネルギビームは前記バーチャルフェンスの長さの少なくとも一部に沿って物理的バリアに近接している前記［１］記載の指向性エネルギビームのバーチャルフェンス。
［７］前記物理的バリアは、傾斜した平面、舗装された表面、水面、構造物、その組合せである地形表面から選択される前記［６］記載の指向性エネルギビームのバーチャルフェンス。
［８］前記エネルギビーム路は予め定められた境界に近接している前記［１］記載の指向性エネルギビームのバーチャルフェンス。
［９］前記エネルギビームは本質的に保護された設備を囲んでいる前記［１］記載の指向性エネルギビームのバーチャルフェンス。
［１０］前記ソースユニットは、
ミリメートル波エネルギの高電力ソースと、
前記ソースからの前記ミリメートル波を前記エネルギビームに形成するためのビーム指向装置とを具備している前記［１］記載の指向性エネルギビームのバーチャルフェンス。
［１１］各中継装置は光倍率を有する少なくとも１つの反射装置を具備している前記［１］記載の指向性エネルギビームのバーチャルフェンス。
［１２］光倍率を有する前記反射装置は、球面反射装置、放物線状放射装置、非球面反射装置、受動反射装置アレイから選択される前記［１１］記載の指向性エネルギビームのバーチャルフェンス。
［１３］各中継装置は２以上の反射装置を具備している前記［１１］記載の指向性エネルギビームのバーチャルフェンス。
［１４］各中継装置は本質的に、前記一連の中継装置中の前記先行する中継装置の出口開口の画像を前記一連の中継装置中の前記その後続する中継装置の入口開口へ投影する前記［１１］記載の指向性エネルギビームのバーチャルフェンス。
［１５］侵入者が境界を横断することを阻止する方法において、高電力ミリメートル波エネルギビームを発生し、前記エネルギビームは一連の線形セグメントに沿って伝播し、前記一連の線形セグメントは前記境界に近接している方法。
［１６］さらに、前記線形セグメントの少なくとも一部に沿って前記エネルギビームの近くに物理的バリアを設けることを含んでいる前記［１５］記載の方法。
［１７］前記エネルギビームの近くの前記物理的バリアは、傾斜した平面、舗装された表面、水面、構造物、その組合せである地形表面から選択される前記［１６］記載の方法。
［１８］高電力ミリメートル波のエネルギビームを与えることはさらに、
前記境界の１端部に配置された少なくとも１つのミリメートル波ソースユニットを設置し、
連続的な線形セグメントの交差点近くに配置される複数の中継装置を設置するステップを含んでいる前記［１５］記載の方法。
［１９］前記エネルギビームは本質的に保護された設備を囲んでいる前記［１５］記載の方法。
【図１】
0005474931.tif 000002
【図２】
0005474931.tif 000003
【図３】
0005474931.tif 000004
【図４】
0005474931.tif 000005
【図５】
0005474931.tif 000006
【図６】
0005474931.tif 000007
【図７】
0005474931.tif 000008